(57)【要約】【課題】洗浄ノズルより食器に向けて洗浄水を噴射して食器を洗浄する食器洗い機において、蓋体の成型によるそりや変形の影響を受けにくくして、簡易な構成でシールの信頼性を確保できるようにし、廉価で信頼性の高い食器洗い機を提供する。【解決手段】食器２等を出し入れする開口部を有する洗浄槽１４内に洗浄ノズル７を設け、開口部の少なくとも一端側に回転軸４を有する第１の蓋体１７と第２の蓋体６とにより開口部を開閉自在に閉塞し、洗浄槽１４の開口部の一端側にパッキング１６を設ける。パッキング１６は、第１の蓋体１７と第２の蓋体６とが開口部を閉塞する際に、開口部が形成する面に対して略平行方向にかつ回転軸４に対して略垂直方向に変形することによってシールする構成とする。【選択図】  図１
2004321465.tif 000002
【特許請求の範囲】
【請求項１】
食器等を出し入れする開口部を有する洗浄槽と、この洗浄槽内に設けた洗浄ノズルと、前記開口部の少なくとも一端側に回転軸を有し前記開口部を開閉自在に閉塞する蓋体と、前記洗浄槽の開口部の前記一端側に設けたパッキングとを備え、前記パッキングは、前記蓋体が前記開口部を閉塞する際に、前記開口部が形成する面に対して略平行方向にかつ前記回転軸に対して略ラジアル方向に変形することによってシールする構成とした食器洗い機。
【請求項２】
パッキングはリップ部を有し、このリップ部が前記開口部が形成する面に対して略平行方向にかつ前記回転軸に対して略ラジアル方向に変形することによってシールする構成とした請求項１記載の食器洗い機。
【請求項３】
蓋体の一端とパッキングとを面接触で当接するよう構成した請求項１または２記載の食器洗い機。
【請求項４】
洗浄槽の開口部を蓋体で閉塞する際に、パッキングに洗浄ノズルからの噴射水が直接当たらない構成とした請求項１〜３のいずれか１項に記載の食器洗い機。
【請求項５】
洗浄槽の開口部を蓋体で閉塞する際に、前記蓋体の一端がパッキングよりも後方に位置する構成とした請求項４記載の食器洗い機。
【発明の詳細な説明】
【０００１】
【発明の属する技術分野】
本発明は、洗浄ノズルより食器に向けて洗浄水を噴射して食器を洗浄する食器洗い機に関する。
【０００２】
【従来の技術】
近年、洗浄槽内で回転する洗浄ノズルから噴射される洗浄水によって食器かごに収納された食器を洗浄する食器洗い機が主流となっている。
【０００３】
従来、この種の食器洗い機は図４に示すように構成していた。以下、その構成について説明する。
【０００４】
図４に示すように、洗浄槽１は前方に開口部を有するとともに、食器２を入れる食器かご３を前後方向に移動可能に配置している。洗浄槽１の開口部はその下方の一辺と平行な回転軸４を有する第１の蓋体５と、この第１の蓋体５と連動して動作する第２の蓋体６によって開閉される。洗浄槽１の底部には洗浄水を噴射する洗浄ノズル７を回転自在に設け、洗浄槽１の底部に設けた排水口８および洗浄槽１の下方に配置した洗浄ポンプ９と配管部１０を介して接続している。第１の蓋体５の下方には後方へ向って凹形状の溝部１１を設けており、中実のパッキング１２を装着している。
【０００５】
洗浄槽１内の洗浄水はヒータ１３によって温水化され、洗浄ポンプ９にて排水口８から吸い込まれ、洗浄ノズル７に圧送される。洗浄ノズル７より勢いよく噴射される洗浄水によって、食器かご３に収容された食器２を洗浄するように構成している（例えば、特許文献１参照）。
【０００６】
【特許文献１】
特開平１０−３１４０９９号公報
【０００７】
【発明が解決しようとする課題】
このような従来の食器洗い機においては、食器２を出し入れする場合、第１の蓋体５を略垂直方向から略水平方向へ開くとともに、これに連動して第２の蓋体６が上方へ開き、第１の蓋体５上に食器かご３を引き出して行う。
【０００８】
この構成の場合、第１の蓋体５を閉じると、洗浄槽１の開口部の下辺部の後面に対してパッキング１２が圧接し、シールする。また第１の蓋体５は成型時に第１の蓋体５の平面に対し略垂直方向へそったり、変形したりする傾向にある。一方シールする方向は開口部の形成する面に対して略垂直方向のため、上記のように、第１の蓋体５のパッキング１２装着部分が洗浄槽１の開口部に対し、略垂直方向へそったり変形したりすると、洗浄槽１の開口部の下辺部の後面に対して、パッキング１２の圧接力が弱くなったり、隙間が生じたりして、水漏れが発生してしまったりしていた。また、シールの信頼性を確保するためには、変形防止の補強等が必要になり、複雑かつ高価な構成になってしまう。
【０００９】
本発明は上記課題を解決するもので、蓋体の成型によるそりや変形の影響を受けにくくして、簡易な構成でシールの信頼性を確保できるようにし、廉価で信頼性の高い食器洗い機を提供することを目的としている。
【００１０】
【課題を解決するための手段】
本発明は上記目的を達成するために、食器等を出し入れする開口部を有する洗浄槽内に洗浄ノズルを設け、開口部の少なくとも一端側に回転軸を有する蓋体により開口部を開閉自在に閉塞し、洗浄槽の開口部の一端側にパッキングを設け、パッキングは、蓋体が開口部を閉塞する際に、開口部が形成する面に対して略平行方向にかつ回転軸に対して略垂直方向に変形することによってシールする構成としたものである。
【００１１】
これにより、蓋体の開閉によりシールする方向が洗浄槽の開口部が形成する面に対して略平行方向のため、蓋体の成型によるそりや変形の影響を受けにくくすることができ、簡易な構成でシールの信頼性を確保することができるため、廉価で信頼性の高い食器洗い機を提供することができる。
【００１２】
【発明の実施の形態】
本発明の請求項１に記載の発明は、食器等を出し入れする開口部を有する洗浄槽と、この洗浄槽内に設けた洗浄ノズルと、前記開口部の少なくとも一端側に回転軸を有し前記開口部を開閉自在に閉塞する蓋体と、前記洗浄槽の開口部の前記一端側に設けたパッキングとを備え、前記パッキングは、前記蓋体が前記開口部を閉塞する際に、前記開口部が形成する面に対して略平行方向にかつ前記回転軸に対して略ラジアル方向に変形することによってシールする構成としたものであり、蓋体の開閉によりシールする方向が洗浄槽の開口部が形成する面に対して略平行方向のため、蓋体の成型によるそりや変形の影響を受けにくくすることができ、簡易な構成でシールの信頼性を確保することができるため、廉価で信頼性の高い食器洗い機を提供することができる。
【００１３】
請求項２に記載の発明は、上記請求項１に記載の発明において、パッキングはリップ部を有し、このリップ部が前記開口部が形成する面に対して略平行方向にかつ前記回転軸に対して略ラジアル方向に変形することによってシールする構成としたものであり、リップ部は比較的軽い力で変形させることができ、蓋体によって開口部を閉じるときに必要な操作力を低減できるため、使い勝手がよく、信頼性の高い食器洗い機を提供することができる。
【００１４】
請求項３に記載の発明は、上記請求項１または２記載の発明において、蓋体の一端とパッキングとを面接触で当接するよう構成したものであり、シールを破るための水流のレベルをより高いレベルに設定できるため、より信頼性の高い食器洗い機を提供することができる。
【００１５】
請求項４に記載の発明は、上記請求項１〜３のいずれかに記載の発明において、洗浄槽の開口部を蓋体で閉塞する際に、パッキングに洗浄ノズルからの噴射水が直接当たらない構成としたものであり、シール部に直接当たる噴射水がなく、比較的容易にシール性を確保できるため、より信頼性の高い食器洗い機を提供することができる。
【００１６】
請求項５に記載の発明は、上記請求項４に記載の発明において、洗浄槽の開口部を蓋体で閉塞する際に、前記蓋体の一端がパッキングよりも後方に位置する構成としたものであり、パッキングへの洗浄水の到達に対する余裕度を確保できるため、より信頼性の高い食器洗い機を提供することができる。
【００１７】
【実施例】
以下、本発明の実施例について、図面を参照しながら説明する。なお、従来例と同じ構成のものは同一符号を付して説明を省略する。
【００１８】
（実施例１）
図１に示すように、洗浄槽１４は、食器２等を出し入れする開口部を有し、この開口部の下辺部分に下方へ向って凹形状の溝部１５を設けている。溝部１５には、パッキング１６が装着されている。パッキング１６は略水平面で構成され上下方向に変位可能なリップ部１６ａを有している。第１の蓋体（蓋体）１７は開口部の一端側に回転軸４を有し、この第１の蓋体１７と連動して動作する第２の蓋体（蓋体）６とともに洗浄槽１４の開口部を開閉するよう構成している。第１の蓋体１７の下辺面部分には略水平面１８を設けている。
【００１９】
パッキング１６は、第１の蓋体１７が開口部を閉塞する際に、リップ部１６ａが開口部が形成する面に対して略平行方向に、かつ回転軸４に対して略ラジアル方向に変形することによってシールする構成としている。
【００２０】
図２に示すように、第１の蓋体１７を閉じたとき、第１の蓋体１７の下辺部分に設けた略水平面１８とパッキング１６の略水平面で構成されたリップ部１６ａとは、面接触で圧接するよう構成されている。
【００２１】
上記構成において作用を説明すると、第１の蓋体１７を閉じたとき、略水平面１８が、パッキング１６のリップ部１６ａに圧接し、リップ部１６ａを下方に押し下げてシールする。このシール性に影響するのは第１の蓋体１７の略水平面１８であり、この面は、第１の蓋体１７の平面に対し略平行方向であるため、成型によるそりや変形が出にくく、シール面を矯正する手段は必要とせずとも確実にシールすることができる。また、パッキング１６のリップ部１６ａは比較的軽い力で変位可能なため、第１の蓋体１７を閉じるときの操作力も低減できる。
【００２２】
このように本実施例によれば、パッキング１６を洗浄槽１４の開口部の下辺部分に装着し、このパッキング１６は第１の蓋体１７が開口部を閉塞する際に、開口部が形成する面に対して略平行方向に、かつ回転軸４に対して略ラジアル方向に変形することによってシールする構成としたので、第１の蓋体１７の開閉によりシールする方向が洗浄槽１４の開口部が形成する面に対して略平行方向のため、第１の蓋体１７の成型による前後方向のそりや変形の影響を受けにくくすることができ、簡易な構成でシールの信頼性を確保することができるため、廉価で信頼性の高い食器洗い機を提供することができる。
【００２３】
また、パッキング１６はリップ部１６ａを有し、このリップ部１６ａが開口部が形成する面に対して略平行方向に、かつ回転軸４に対して略ラジアル方向に変形することによってシールする構成としたので、リップ部１６ａは比較的軽い力で変形させることができ、第１の蓋体１７によって開口部を閉じるときに必要な操作力を低減できるため、使い勝手を向上することができる。
【００２４】
また、第１の蓋体１７の下辺部分に設けた略水平面１８とパッキング１６の略水平面で構成されたリップ部１６ａとを面接触で当接するよう構成したので、シールを破るための水流のレベルをより高いレベルに設定できるため、より信頼性の高い食器洗い機を提供することができる。
【００２５】
なお、本実施例では、回転軸４を有する第１の蓋体１７とこの第１の蓋体１７と連動して動作する第２の蓋体６によって蓋体を構成しているが、蓋体の枚数や、蓋体の回転軸の位置については、他の構成を用いても、同様の効果が得られるのはいうまでもない。
【００２６】
（実施例２）
図３に示すように、第１の蓋体（蓋体）１９は回転軸４を有し、この第１の蓋体１９と連動して動作する第２の蓋体６とともに洗浄槽１４の開口部を開閉するよう構成しており、この第１の蓋体１７の下辺部分に略水平面２０を設けるとともに、洗浄槽１４の内方側でかつ略垂直下方向に延びるように壁部２１を延設している。この壁部２１はパッキング１６よりも洗浄槽１４内方側に位置し、洗浄ノズル７を壁部２１の下端よりも上方に位置させている。これにより洗浄槽１４の開口部を第１の蓋体１９と第２の蓋体６とで閉塞する際に、パッキング１６に洗浄ノズル７からの噴射水が直接当たらない構成としている。
【００２７】
上記構成において作用を説明すると、第１の蓋体１９を閉じたとき、略水平面２０が、パッキング１６のリップ部１６ａに圧接し、リップ部１６ａを下方に押し下げてシールする。第１の蓋体１９の下辺部分の略水平面には、パッキング１６の洗浄槽１４内方側に、壁部２１を略垂直下方向に延設しているため、洗浄ノズル７の噴射水が直接パッキング１６へ到達することない。
【００２８】
このように本実施例によれば、洗浄槽１４の開口部を第１の蓋体１９と第２の蓋体６とで閉塞する際に、パッキング１６に洗浄ノズル７からの噴射水が直接当たらない構成としたので、シール部に直接当たる噴射水がなく、比較的容易にシール性を確保できるため、より信頼性を高めることができる。
【００２９】
また、洗浄槽１４の開口部を第１の蓋体１９と第２の蓋体６とで閉塞する際に、第１の蓋体１９の略垂直下方に延設した壁部２１がパッキング１６よりも洗浄槽１４内方側に位置する構成としたので、パッキング１６への洗浄水の到達に対する余裕度を確保できるため、より信頼性を高めることができる。
【００３０】
【発明の効果】
以上のように本発明の請求項１に記載の発明によれば、洗浄槽の開口部の一端側にパッキングを設け、このパッキングは、蓋体が開口部を閉塞する際に、開口部が形成する面に対して略平行方向にかつ回転軸に対して略ラジアル方向に変形することによってシールする構成としたから、蓋体の開閉によりシールする方向が洗浄槽の開口部が形成する面に対して略平行方向のため、蓋体の成型によるそりや変形の影響を受けにくくすることができ、簡易な構成でシールの信頼性を確保することができるため、廉価で信頼性の高い食器洗い機を提供することができる。
【図面の簡単な説明】
【図１】本発明の第１の実施例の食器洗い機の蓋体が開状態の縦断面図
【図２】同食器洗い機の蓋体が閉状態の縦断面図
【図３】本発明の第２の実施例の食器洗い機の縦断面図
【図４】従来の食器洗い機の縦断面図
【符号の説明】
２  食器
４  回転軸
６  第２の蓋体（蓋体）
７  洗浄ノズル
１４  洗浄槽
１６  パッキング
１７  第１の蓋体（蓋体）
【図１】
2004321465.tif 000003
【図２】
2004321465.tif 000004
【図３】
2004321465.tif 000005
【図４】
2004321465.tif 000006